(57)【要約】【課題】主に、携帯に便利な、飲み口を有するカップ容器の蓋体において、ホットコーヒーなどの熱い内容物であっても、マグカップ同様に、内容物を目視可能とし、内容物の注出タイミングおよび内容物の熱さを確認しつつ、口元で内容物を冷ましながら安全に摂取することが可能な、飲み口を有する蓋体を提供することを課題とする。【解決手段】上記課題を解決するため、本発明の請求項１記載の発明は、カップ容器の開口部分に取り付けられた、飲み口を有する蓋体であって、少なくとも前記飲み口を有する天面部分が、前記蓋体の上縁より下方に位置することを特徴とする、飲み口を有する蓋体である。【選択図】図１
2008308224.tif 000002
【特許請求の範囲】
【請求項１】
カップ容器の開口部分に取り付けられた、飲み口を有する蓋体であって、少なくとも前記飲み口を有する天面部分が、前記蓋体の上縁より下方に位置することを特徴とする、飲み口を有する蓋体。
【請求項２】
前記飲み口は、前記カップ容器の縁と略一致する高さ若しくは前記カップ容器の縁の直上に、位置することを特徴とする、請求項１記載の飲み口を有する蓋体。
【請求項３】
前記天面は、前記飲み口にかけて傾斜した傾斜面を有することを特徴とする、請求項１乃至２記載の飲み口を有する蓋体。
【請求項４】
前記飲み口に、該飲み口を開閉自在とした、小蓋を形成したことを特徴とする、請求項１乃至３記載の飲み口を有する蓋体。
【請求項５】
前記小蓋に持ち手を形成したことを特徴とする、請求項４記載の飲み口を有する蓋体。
【請求項６】
前記小蓋はヒンジを介して回動自在な小蓋であって、該小蓋の開封時において、前記小蓋に形成された持ち手を、前記蓋体に形成された係合溝へと、嵌合自在に形成したことを特徴とする、請求項５記載の飲み口を有する蓋体。
【発明の詳細な説明】
【技術分野】
【０００１】
本発明は、カップ容器の開口に取り付けられた、天面に飲み口を有する蓋体であって、前記カップ容器の蓋体の上縁へと口元を当接した状態で内容物を摂取する際に、一旦飲み口から天面上に内容物が出た後、口元へと内容物が触れるように構成することで、内容物を目視可能とし、内容物の注出タイミングや温度を確認しつつ内容物を安全に摂取可能な、飲み口を有する蓋体に関する。
【背景技術】
【０００２】
従来、図１２（ａ）（ｂ）に示すように、カップ容器２０の開口部分に取り付けられた、飲み口１'を有する蓋体１０が知られており、このような蓋体１０を取り付けたカップ容器Ａ'は、コーヒー店、ファーストフード店、コンビニエンスストア等で、コーヒーやジュースなどの各種飲料の販売に用いられている。
【０００３】
このカップ容器Ａ'は、カップ容器２０に内容物を充填した後、蓋体１０を取り付けるとともに、該蓋体１０の上部に形成された飲み口１'へと閉封シールＳを貼ることにより、コーヒー等の飲料（商品）を簡単にテイクアウト（持ち帰り）することが可能である。そして、商品購入後、内容物の摂取時において、飲み口１'の前記閉封シールＳを剥がすことにより、簡単に内容物を摂取することが可能である。
【０００４】
このように、飲み口１'を有する蓋体１０を一体に形成したカップ容器Ａ'は、販売時に、熱いコーヒーなどの内容物を持ち帰りで提供することが可能な利点があり、他方、消費者にとっても、移動中にカップ容器を携帯しつつ、内容物を摂取することができるという利点がある。
【０００５】
しかしながら、このような飲み口１'を有する蓋体１０は、カップ容器２０の上方に取り付けられるとともに、内容物を摂取するための飲み口部分１'がさらに蓋体の上縁部分７'に形成されており、このため、蓋体１０の上縁７'へと口元を当接した状態で内容物を摂取すると、内容物を目視することができないばかりか、飲み口１'から注出された内容物が直接口内へと流出するため、意図しないタイミングで、ホットコーヒー等の熱い内容物Ｅが、飲み口１'から口内へと直接浸入してしまい、口内を火傷してしまう恐れがあるため、熱い内容物Ｅの摂取には細心の注意が必要である。
【０００６】
すなわち、通常のマグカップＭは、図１３に示すように、内容物Ｅを摂取する際に、カップの縁７”へと口元を当接した状態で、内容物の液面Ｅを目視により確認することができるため、内容物が口元に当接するタイミングを計ることが可能である。
よって、たとえ熱い内容物Ｅであっても、内容物Ｅが突然口元に当接して火傷してしまうようなことなく、安全に熱い内容物Ｅを摂取することが可能である。
【０００７】
他方、図１３に示すように、蓋体１０の上縁７'に飲み口１'を有する蓋体１０では、蓋体１０の飲み口１'へと直接口元を当接した状態で内容物Ｅを摂取するため、予期せぬタイミングで熱い内容物Ｅが口内へと流入してしまい、唇や口中を火傷してしまう恐れがある。よって、内容物Ｅの摂取が困難なばかりでなく火傷等の危険を伴うため、熱い内容物を摂取する際には十分な注意が必要であった。
【発明の開示】
【発明が解決しようとする課題】
【０００８】
本発明は、このような問題点を解決するためになされたものであり、その課題は、主に、携帯に便利なカップ容器の、飲み口を有する蓋体において、ホットコーヒーなどの熱い内容物であっても、内容物の摂取時において、通常のマグカップ同様に、内容物を目視可能とし、内容物の注出タイミングおよび内容物の熱さを確認しつつ、口元で内容物を冷ましながら安全に摂取することが可能な、飲み口を有する蓋体を提供することを課題とする。
【課題を解決するための手段】
【０００９】
上記課題を解決するため、本発明の請求項１記載の発明は、カップ容器の開口部分に取り付けられた、飲み口を有する蓋体であって、少なくとも前記飲み口を有する天面部分が、前記蓋体の上縁より下方に位置することを特徴とする、飲み口を有するカップ容器の蓋体である。
【００１０】
また、請求項２記載の発明は、前記飲み口は、前記カップ容器の縁と略一致する高さ若しくは前記カップ容器の縁の直上に、位置することを特徴とする、飲み口を有するカップ容器の蓋体である。
【００１１】
また、請求項３記載の発明は、前記天面は、前記飲み口にかけて傾斜した傾斜面を有することを特徴とする、飲み口を有するカップ容器の蓋体である。
【００１２】
また、請求項４記載の発明は、前記飲み口に、該飲み口を開閉自在とした、小蓋を形成したことを特徴とする、飲み口を有するカップ容器の蓋体である。
【００１３】
また、請求項５記載の発明は、前記小蓋に、持ち手を形成したことを特徴とする、飲み口を有するカップ容器の蓋体である。
【００１４】
また、請求項６記載の発明は、前記小蓋はヒンジを介して回動自在な小蓋であって、該小蓋の開封時において、前記小蓋に形成された持ち手を、前記蓋体に形成された係合溝へと、嵌合自在に形成したことを特徴とする、飲み口を有するカップ容器の蓋体である。
【発明の効果】
【００１５】
本発明の請求項１記載の発明は、カップ容器の開口部分に取り付けられた、飲み口を有する蓋体であって、少なくとも前記飲み口を有する天面部分が、前記蓋体の上縁より下方に位置することを特徴とするから、蓋体に口元を当接してカップ容器の内容物を摂取する際に、内容物が飲み口から直接口内へと流入することなく、飲み口から天面上に内容物が一旦出た後、内容物が口元へと触れるため、内容物を目視可能であり、たとえ熱い内容物であっても、安全に摂取することが可能である。よって、通常のマグカップ同様に、内容物を目視しつつ、カップ容器の縁へと口元を当接した状態で、内容物の注出タイミングおよび内容物の熱さを確認しつつ、安全に内容物を摂取することが可能である。
【００１６】
また、請求項２記載の発明は、前記飲み口は、前記カップ容器の縁と略一致する高さ若しくは前記カップ容器の縁の直上に、位置することを特徴とするから、蓋体の上縁へと口元を当接した状態で内容物を摂取する際に、内容物を目視することが可能であり、内容物の注出タイミングおよび内容物の熱さを確認しつつ、従来のマグカップ同様の感覚をもって、内容物を摂取することが可能である。
【００１７】
また、請求項３記載の発明は、前記天面は、前記飲み口にかけて傾斜した傾斜面を有することを特徴とするから、天面上の内容物が、傾斜面を通り再び飲み口へと流入することが可能である。よって、天面に内容物が残留することなく、常に天面を清潔な状態とすることが可能であり、天面上に残留する熱い内容物で火傷してしまう恐れがない。
【００１８】
また、請求項４記載の発明は、前記飲み口に、該飲み口を開閉自在とした、小蓋を形成したことを特徴とするから、カップ容器を携帯した状態、若しくは自動車や電車など、振動を伴う状況であっても、飲み口を閉封することが可能であり、カップ容器の熱い内容物が、飲み口から飛散して火傷してしまう恐れがない。
【００１９】
また、請求項５記載の発明は、前記小蓋に、持ち手を形成したことを特徴とするから、持ち手部分をつまんで、簡単に小蓋を開封することが可能である。
【００２０】
また、請求項６記載の発明は、前記小蓋はヒンジを介して回動自在な小蓋であって、該小蓋の開封時において、前記小蓋に形成された持ち手を、前記蓋体に形成された係合溝へと、嵌合自在に形成したことを特徴とするから、内容物を摂取する際に、開封した状態の小蓋が後戻りして、飲み口を閉塞してしまうことを防ぐことが可能である。
【発明を実施するための最良の形態】
【００２１】
本発明に係る飲み口を有する蓋体１０（蓋体１０）の一例としては、図１（ａ）に示すように、内容物が充填されるカップ容器２０の開口に取り付けられた、蓋体１０であって、図１（ｂ）に示すように、該蓋体１０の天面５には、カップ容器１０の内容物が注出される飲み口１が形成されるとともに、該飲み口１を開閉自在とする小蓋２が形成されている。
【００２２】
特に、前記飲み口１は、蓋体１０の上縁７より下方に位置する天面部分５に形成されており、このため、蓋体の上縁７と、飲み口１を有する天面部分５との間に空間（注出空間）が形成されている。
【００２３】
よって、後述する、たとえ熱い内容物を摂取する際にも、カップ容器２０の内容物を、一旦、前記注出空間へと注ぎ出した後、内容物の熱さ等を確認しつつ安全に摂取することが可能であり、急な内容物の注出による口内の火傷等を防ぐことが可能である。
【００２４】
以下に、本発明の飲み口を有する蓋体１０について詳しく説明する。
本発明の飲み口を有する蓋体１０は、図２（ａ）（ｂ）に示すように、該蓋体１０の外周が上方へと突出した環状の縁７からなる上縁７が形成されている。そして、後述する、蓋体の上縁７に口元を当接した状態で、通常のマグカップ同様の感覚をもって内容物を摂取することが可能である。
【００２５】
他方、前記蓋体１０の下方には、外方へと突出した環状の縁９からなる下縁９が形成されており、後述する、前記蓋体１０の下縁９の内側部分に形成された凹凸箇所Ｄ（嵌合部Ｄ）が、カップ容器２０の縁２９へと嵌合することにより、蓋体１０をカップ容器２０へと一体に取り付けることが可能である。
【００２６】
特に、前記飲み口１は、前記天面５の、前記蓋体の下縁９と一致する高さに形成されており、前記飲み口１と蓋体の上縁７との間に、高さｔを有する注出空間Ｔが形成されている。
【００２７】
これにより、後述する、カップ容器２０の内容物を摂取する際に、内容物が飲み口１から直接口元に当接することなく、内容物が一旦、前記注出空間Ｔへと注出された後、蓋体の上縁７へと口元を当接した状態で摂取することが可能であり、内容物を目視して、内容物の温度や注出タイミングを確認しつつ、内容物を安全に摂取することが可能である。
特に、ホットコーヒーなどの熱い内容物の場合、前記注出空間Ｔにおいて内容物を冷ましつつ摂取することが可能であり、さらには、紅茶やコーヒーなどの香りを楽しむことが可能である。
【００２８】
前記蓋体１０の天面５は、飲み口１にかけて緩やかに傾斜したスロープをなしており、天面上に残留した内容物が飲み口に戻るように構成されている。これにより、天面上５に残留する内容物が、再び飲み口１へと流入することが可能である。よって、常に天面を清潔な状態とすることが可能であり、天面上に残留する熱い内容物で火傷してしまう恐れがない。
【００２９】
また、前記飲み口１は、持ち手３を有する小蓋２で閉封することが可能であり、移動中などの振動を伴う状況であっても、内容物が飲み口１から飛散してしまうことを防ぐことが可能である。
【００３０】
この小蓋２は、前記飲み口１と同形状からなる面２で飲み口１を閉封するとともに、上方へと突出した形状からなる持ち手３を有している。そして、該小蓋２はヒンジ８を介して天面５と一体に形成されるとともに、小蓋２の後方の前記天面上５には、小蓋２の持ち手３と略同形状の窪み４からなる係合溝４が形成されている。
【００３１】
そして、小蓋２の前記持ち手３をつまんで、ヒンジ８を軸に小蓋２を後方へと回動した後、持ち手部分３を前記係合溝４へと係合することにより、図３に示すように、簡単に小蓋２を開封した状態でロックすることが可能である。よって、カップ容器２０を傾けて内容物を摂取する際にも、小蓋２が後戻りして、飲み口１を塞いでしまうことを防ぐことが可能である。
【００３２】
次に、本発明の蓋体１０を取り付けるカップ容器２０の一例について説明する。
ホットコーヒー等の内容物を充填するカップ容器２０の一例としては、図４に示すように、底部２２と側面２３とを有する、略円筒状のカップ容器２０であって、該カップ容器２０の上部開口２１には、開口２１の外周縁に沿って、巻き返しからなるカップ容器２０の縁２９が形成されている。
【００３３】
このようなカップ容器２０としては、多層コーティング紙に限らず、熱成型樹脂や、紙と樹脂との複合材料など、本発明の飲み口を有する蓋体１０を取り付けることが可能であれば、カップ容器２０の材質や形状などは特に限定されるものではない。
【００３４】
そして、前記カップ容器２０の縁２９へと前記蓋体１０の下縁９を嵌合することにより、図５に示すように、本発明の蓋体１０を有するカップ容器Ａを形成することが可能である。
【００３５】
特に、本発明の蓋体１０は、該蓋体１０の下縁９および飲み口１と、前記カップ容器２０の縁２９と、の高さが略一致するとともに、前記飲み口１は、蓋体１０の上縁７より下方に位置している。これにより、後述する、蓋体の上縁７へと口元を当接して内容物を摂取する際に、カップ容器２０の内容物が、一旦飲み口１から天面上５の注出空間Ｔに注出した後、蓋体の上縁７へと口元を当接した状態で内容物を摂取することが可能であり、内容物の注出タイミングや温度を確認しつつ摂取することが可能である。
【００３６】
すなわち、このようなカップ容器Ａを用いた飲料等の商品を提供する際には、図６に示すように、まず、カップ容器２０に熱いコーヒーなどの内容物Ｅを充填した後、カップ容器２０の縁２９へと蓋体１０の下縁９を嵌合することにより、蓋体１０を有するカップ容器Ａ（商品Ａ）を形成する。
【００３７】
そして、商品購入後の使用者は、図７に示すように、蓋体１０に形成された小蓋２の持ち手３をつまみ後方へと回動して飲み口１を形成し、小蓋２の持ち手３を係合溝４へと係合して小蓋２をロックする。
【００３８】
そして、蓋体の上縁７へと口元を当接した状態で、カップ容器２０を徐々に傾けると、図８に示すように、飲み口１から天面上５に内容物Ｅが注出するため、内容物を目視することが可能であり、内容物Ｅの注出タイミングや温度を確認しつつ、カップ容器２０の内容物Ｅを安全に摂取することが可能である。
【００３９】
特に、本発明の蓋体１０は、内容物Ｅが飲み口１から一旦天面上５の注出空間Ｔへと注出した後、内容物Ｅを摂取することが可能であり、飲み口１から注出した内容物Ｅが、直接口内へと浸入することなく、一旦注出空間Ｔへと溜まるため、ホットコーヒー等の熱い内容物Ｅであっても、内容物Ｅの注出タイミングおよび内容物Ｅの熱さを確認しつつ、蓋体の上縁７へと口元を当接した状態で、内容物を冷ましながら、安全に摂取することが可能である。
【００４０】
さらには、蓋体の上縁７から、内容物Ｅと空気とを同時に吸引することが可能であり、消費者の好みで内容物Ｅの温度を調節しつつ摂取することが可能である。また、注出空間Ｔへと、内容物Ｅを一旦注出した後摂取するため、コーヒーや紅茶等を内容物とした場合、これらの香りを楽しむことが可能である。
【００４１】
このように、蓋体１０に形成された飲み口１が、蓋体の上縁７より下方に位置することにより、図９（ａ）に示すように、蓋体１０の上縁７へと口元を当接した状態で、内容物Ｅを摂取する際に、内容物を目視することが可能であり、内容物の注出タイミングおよび内容物の熱さを確認しつつ、従来のマグカップ同様の感覚をもって、内容物を摂取することが可能である。
【００４２】
すなわち、図９（ｂ）に示すように、通常のマグカップＭは、マグカップの縁７''へと口元を当接した状態で内容物Ｅを摂取する際に、内容物Ｅを目視可能であり、内容物Ｅの注出タイミングおよび内容物Ｅの熱さを確認しつつ、安全に内容物Ｅを摂取することが可能である。
【００４３】
一方、従来の蓋体１０'を有するカップ容器Ａ'は、図９（ｃ）に示すように、飲み口１'が、蓋体１０の上縁７'に形成されており、このため、蓋体の上縁７'へと口元を当接した状態で内容物を摂取するため、内容物Ｅを目視することができないばかりか、飲み口Ｅから注出された内容物が直接口内へと流出することとなる。よって、意図しないタイミングで、ホットコーヒー等の熱い内容物Ｅが、飲み口１'から口内へと直接浸入してしまうと、口内を火傷してしまう恐れがあり内容物Ｅの摂取には細心の注意が必要であった。
【００４４】
これに対して、本発明の蓋体１０は、飲み口１から注出した内容物Ｅが直接口内に流入することなく、一旦、飲み口１から天面上５の注出空間Ｔへと内容物Ｅが注出した後、蓋体の上縁７へと口元を当接した状態で内容物Ｅを摂取するため、たとえ熱い内容物Ｅであっても、内容物Ｅの注出タイミングおよび内容物Ｅの熱さを目視で確認しつつ、安全に内容物Ｅを摂取することが可能である。
【００４５】
さらに、本発明の蓋体１０は、蓋体１０の天面部分が、飲み口１にかけて傾斜した傾斜面６を形成してもよく、例えば、図１０に示すように、天面５の周囲に形成された、飲み口１にかけて傾斜した傾斜面６であってもよく、さらに、前記傾斜面６で飲み口部分１を囲むとともに、天面上に残留する内容物を誘い込む形状としてもよい。
【００４６】
この場合、図１１（ａ）（ｂ）に示すように、蓋体１０の天面５は、飲み口１にかけて緩やかに傾斜したスロープを形成するとともに、天面５の周囲には、さらに飲み口１にかけて傾斜した傾斜面６が形成されている。そして、前記傾斜面６は、飲み口１を囲む形状であって、飲み口１にかけて細まる形状をなしており、このため、天面上５に残留する内容物を再び飲み口１へと確実に導くことが可能である。よって、蓋体１０の天面５を常に清潔な状態とすることが可能であり、天面５に残留する熱い内容物で火傷してしまう恐れがない。
【００４７】
また、前記飲み口１が、前記カップ容器２０の縁２９（蓋体の下縁９）の直上に位置するように形成されており、このため、蓋体１０の上縁７へと口元を当接した状態で内容物を摂取する際に、内容物を目視することが可能であり、内容物の注出タイミングおよび内容物の熱さを確認しつつ、従来のマグカップ同様の感覚をもって、内容物を摂取することが可能である。
【００４８】
以上のように、本発明の蓋体１０は、カップ容器２０の縁２９に取り付けられた、飲み口１を有する蓋体１０であって、少なくとも前記飲み口１を有する天面部分５が、前記蓋体１０の上縁７より下方に位置する簡単な構成により、蓋体１０の上縁７へと口元を当接した状態で、カップ容器２０の内容物を摂取する際に、飲み口１から直接内容物が口内へと浸入することなく、一旦飲み口１から天面上５に内容物が注出した後、蓋体の上縁７へと口元を当接した状態で摂取可能なため、たとえ熱い内容物であっても、内容物の注出タイミングおよび内容物の熱さを確認しつつ、口元で内容物を冷ましながら内容物を安全に摂取することが可能である。
【００４９】
また、前記飲み口１を有する天面部分５が、前記カップ容器の縁２９（蓋体の下縁９）と略一致する高さ若しくは前記カップ容器の縁２９の直上に位置することで、内容物を摂取する際に、内容物を目視することが可能であり、内容物の注出タイミングおよび内容物の熱さを確認しつつ、従来のマグカップ同様の感覚をもって、内容物を摂取することが可能である。
【００５０】
さらには、本発明の蓋体１０は、蓋体１０の天面部分が、飲み口１にかけて傾斜した傾斜面６を有することを特徴とするから、飲み口１から天面上へと注出した内容物が、傾斜面６から再び飲み口１へと流入するため、蓋体１０の天面を常に清潔な状態とすることが可能であり、天面５に残留する熱い内容物で火傷してしまう恐れがない。
【００５１】
また、前記飲み口１に、該飲み口１を開閉自在とした、小蓋２を形成することにより、カップ容器Ａを携帯した状態での移動中や、自動車や電車等の振動を伴う状況であっても、カップ容器Ａの内容物が、飲み口１から飛散して火傷してしまう恐れがない。さらには、前記小蓋２に持ち手３を形成することにより、持ち手部分３をつまんで、簡単に飲み口１を開封することが可能である。
【００５２】
また、前記小蓋２は、ヒンジ８を介して開閉自在な小蓋２であって、該小蓋２を開封した状態で、前記小蓋２に形成された持ち手３を、前記蓋体１０に形成された係合溝４へと、係合自在に形成したことを特徴とするから、内容物を摂取する際に、小蓋２を開封した状態でロックすることが可能であり、小蓋２が後戻りして飲み口１を閉塞してしまうようなことがない。
【００５３】
本発明の飲み口１を有する蓋体１０は、前記蓋体の上縁７と前記天面５に形成された飲み口１との前記高さｔが、１０ｍｍ以上であることが望ましく、さらに望ましくは１５ｍｍ以上であることが望ましい。これにより、蓋体１０の天面部分５に大きな注出空間Ｔを確保することが可能であるとともに、飲み口１から注出する内容物を目視可能とし、たとえ熱い内容物であっても、内容物の注出タイミングおよび内容物の熱さを確認して、安全に摂取することが可能である。
【００５４】
また、本発明の飲み口を有する蓋体１０は、飲み口１を開閉自在な前記小蓋２を必ずしも形成する必要はなく、例えば、従来の閉封シールＳ等を飲み口部分１に形成して、飲み口１を塞いでもよい。
【００５５】
本発明の飲み口１を有する蓋体１０に用いる材料の一例としては、低密度ポリエチレン樹脂、中密度ポリエチレン樹脂、高密度ポリエチレン樹脂、直鎖状低密度ポリエチレン樹脂、ポリスチレン樹脂、アイオノマー樹脂、ポリプロピレン樹脂、アクリル樹脂、ナイロン樹脂、ポリエステル系樹脂、ポリカーボネート樹脂等の樹脂を挙げることができる。
また、カップ容器２０の内容物の一例としては、コーヒー、紅茶、ミルク等の熱い内容物のみならず、ジュース、炭酸飲料などの各種飲料が挙げられる。
【図面の簡単な説明】
【００５６】
【図１】本発明の飲み口を有する蓋体を取り付けたカップ容器の一例を示す図である。  （ａ）蓋体の閉封時を示す図である。  （ｂ）蓋体の開封時を示す図である。
【図２】本発明の飲み口を有する蓋体の閉封時を示す説明図である。  （ａ）飲み口を有する蓋体を示す図である。  （ｂ）飲み口を有する蓋体の断面視説明図である。
【図３】本発明の飲み口を有する蓋体の開封時を示す説明図である。  （ａ）飲み口を有する蓋体を示す図である。  （ｂ）飲み口を有する蓋体の断面視説明図である。
【図４】カップ容器を示す一部切断説明図である。
【図５】飲み口を有する蓋体を取り付けたカップ容器の一部切断説明図である。
【図６】飲み口を有する蓋体を取り付けたカップ容器の使用例である。
【図７】飲み口を有する蓋体を取り付けたカップ容器の使用例である。
【図８】飲み口を有する蓋体を取り付けたカップ容器の一部切断説明図である。
【図９】飲み口を有する蓋体を取り付けたカップ容器の比較例を示す説明図である。
【図１０】飲み口を有する蓋体の取り付けたカップ容器の別の例を示す図である。
【図１１】飲み口を有する蓋体の別の例を示す説明図である。  （ａ）飲み口を有する蓋体を示す図である。  （ｂ）飲み口を有する蓋体の断面視説明図である。
【図１２】従来の飲み口を有する蓋体を取り付けたカップ容器を示す説明図である。  （ａ）閉封時を示す図である。  （ｂ）開封時を示す図である。
【図１３】通常のマグカップを示す使用例である。
【図１４】従来の飲み口を有する蓋体を取り付けたカップ容器を示す使用例である。
【符号の説明】
【００５７】
１  飲み口
２  小蓋
３  持ち手
４  係合溝
５  天面
６  傾斜面
７  蓋体の上縁
８  ヒンジ
９  蓋体の下縁
１０  飲み口を有する蓋体（蓋体）
２０  カップ容器
２１  開口
２２  側面
２３  底面
２９  カップ容器の縁
Ａ  蓋体を有するカップ容器（カップ容器）
Ｄ  凹凸形状の嵌合部
Ｅ  内容物（内容物の液面）
【図１】
2008308224.tif 000003
【図２】
2008308224.tif 000004
【図３】
2008308224.tif 000005
【図４】
2008308224.tif 000006
【図５】
2008308224.tif 000007
【図６】
2008308224.tif 000008
【図７】
2008308224.tif 000009
【図８】
2008308224.tif 000010
【図９】
2008308224.tif 000011
【図１０】
2008308224.tif 000012
【図１１】
2008308224.tif 000013
【図１２】
2008308224.tif 000014
【図１３】
2008308224.tif 000015
【図１４】
2008308224.tif 000016